(57)【要約】【課題】認証データに変換される番号データの入力を確実に行うことができるとともに、入力時における認証データの露見を防止することができる画像形成装置及び画像形成装置による認証データ入力画面の表示方法を提供する。【解決手段】認証データを入力するための認証データ入力画面を表示部３１に表示する複写機１において、ＣＰＵ１１に、所定の配列で配置された文字及び／又は数字表示と、当該文字及び／又は数字表示と対応付けられて表示された番号表示と、を含む認証データ入力画面を表示部３１に表示させる表示制御プログラム１３１と、当該表示された番号表示に対応する番号データを入力するテンキー３３１と、ＣＰＵ１１に、当該入力された番号データを、当該表示された文字及び／又は数字表示と番号表示との対応付けに基づいて、文字及び／又は数字データに変換させる変換プログラム１３２と、を備えるよう構成した。【選択図】図２
2007028067.tif 000002
【特許請求の範囲】
【請求項１】
認証データの登録時、或いは認証データの認証時に、認証データを入力するための認証データ入力画面を表示手段に表示する画像形成装置において、
前記認証データは、複数の文字及び／又は数字データにより構成され、
所定の配列で配置された文字及び／又は数字表示と、当該文字及び／又は数字表示と対応付けられて表示された番号表示と、を含む認証データ入力画面を前記表示手段に表示させる表示制御手段と、
前記表示制御手段により前記表示手段に表示された番号表示に対応する番号データを入力する入力手段と、
前記入力手段により入力された番号データを、前記表示制御手段により前記表示手段に表示された文字及び／又は数字表示と番号表示との対応付けに基づいて、文字及び／又は数字データに変換する変換手段と、
を備えることを特徴とする画像形成装置。
【請求項２】
請求項１に記載の画像形成装置において、
前記入力手段は、前記表示手段と別体として設けられていることを特徴とする画像形成装置。
【請求項３】
請求項１又は２に記載の画像形成装置において、
前記表示制御手段により前記表示手段に表示される認証データ入力画面に含まれる文字及び／又は数字表示は、縦及び横に整列しており、前記表示制御手段により表示される認証データ入力画面に含まれる番号表示は、当該文字及び／又は数字表示の縦及び横の位置を表していることを特徴とする画像形成装置。
【請求項４】
請求項１〜３の何れか一項に記載の画像形成装置において、
前記所定の配列で配置された文字及び／又は数字表示を含む認証データ入力画面を前記表示手段に表示させる第２の表示制御手段と、
前記第２の表示制御手段により前記表示手段に表示された文字及び／又は数字表示に対応する文字及び／又は数字データを入力する第２の入力手段と、
前記第２の入力手段により文字及び／又は数字データを入力することによって認証データを入力するか、或いは前記入力手段により番号データを入力し、前記変換手段により当該入力された番号データを文字及び／又は数字データに変換することによって認証データを入力するか、を選択する選択手段と、
を備えることを特徴とする画像形成装置。
【請求項５】
請求項４に記載の画像形成装置による認証データ入力画面の表示方法であって、
前記表示制御手段が、前記所定の配列で配置された文字及び／又は数字表示と、当該文字及び／又は数字表示と対応付けられて表示された番号表示と、を含む認証データ入力画面を前記表示手段に表示させる第１の表示制御ステップと、
前記第２の表示制御手段が、前記所定の配列で配置された文字及び／又は数字表示を含む認証データ入力画面を前記表示手段に表示させる第２の表示制御ステップと、
前記選択手段が、前記第２の入力手段により文字及び／又は数字データを入力することによって認証データを入力するか、或いは前記入力手段により番号データを入力し、前記変換手段により当該入力された番号データを文字及び／又は数字データに変換することによって認証データを入力するか、を選択する選択ステップと、
を備えることを特徴とする画像形成装置による認証データ入力画面の表示方法。
【発明の詳細な説明】
【技術分野】
【０００１】
本発明は、画像形成装置及び画像形成装置による認証データ入力画面の表示方法に関する。
【背景技術】
【０００２】
従来、個人認証機能を備えた画像形成装置が知られている。このような画像形成装置においては、例えば、入力された認証データを認証して、複写枚数を管理したり、或いは認証した個人に応じて動作を制限することができるようになっている。さらには、認証した個人に応じて操作部の操作画面のデザインなどを変更することができる画像形成装置も提案されている（例えば、特許文献１参照）。
【０００３】
認証データは、例えば、操作画面の上面に設けられたタッチパネルを操作して入力するようになっている。そのため、認証データの入力の際に、オペレータの背後から操作画面が覗き見られて、認証データが露見してしまう恐れがある。そこで、認証データの入力の際には、操作画面の輝度を下げて、操作画面を覗き見られ難くする方法（例えば、特許文献２参照）などが提案されている。また、いわゆる暗号によって、認証データを入力する方法、具体的には、例えば、番号データのみの入力によって、文字データなどにより構成される認証データを入力する方法（例えば、特許文献３参照）なども提案されている。
【特許文献１】特開２００２−３７０４２１号公報
【特許文献２】特開２００５−４４８８号公報
【特許文献３】特開平８−１６３６４８号公報
【発明の開示】
【発明が解決しようとする課題】
【０００４】
ところで、近年、操作性や視認性の向上を図って、操作画面を略鉛直に配置した画像形成装置や、操作画面の表示サイズが大きい画像形成装置などが提案されている。これらの画像形成装置には、操作画面の操作性や視認性が高いという利点の一方で、操作画面がより覗き見られ易いという欠点がある。さらに、操作画面の表示サイズが大きい場合は、認証データの入力時の腕の動きから、認証データが認識できてしまうという問題もある。そして、これらの欠点や問題に対しては、もはや特許文献２のような方法は有効でない。
【０００５】
そこで、例えば、特許文献３のような方法が有効であると考えられるが、この方法においては、文字データなどと番号データとの対応付けを正確に覚えておかないと、誤った認証データを入力してしまうという問題がある。
【０００６】
本発明の課題は、認証データに変換される番号データの入力を確実に行うことができるとともに、入力時における認証データの露見を防止することができる画像形成装置及び画像形成装置による認証データ入力画面の表示方法を提供することにある。
【課題を解決するための手段】
【０００７】
上記課題を解決するために、請求項１に記載の発明は、認証データの登録時、或いは認証データの認証時に、認証データを入力するための認証データ入力画面を表示手段に表示する画像形成装置において、前記認証データは、複数の文字及び／又は数字データにより構成され、所定の配列で配置された文字及び／又は数字表示と、当該文字及び／又は数字表示と対応付けられて表示された番号表示と、を含む認証データ入力画面を前記表示手段に表示させる表示制御手段と、前記表示制御手段により前記表示手段に表示された番号表示に対応する番号データを入力する入力手段と、前記入力手段により入力された番号データを、前記表示制御手段により前記表示手段に表示された文字及び／又は数字表示と番号表示との対応付けに基づいて、文字及び／又は数字データに変換する変換手段と、を備えることを特徴とする。
【０００８】
請求項２に記載の発明は、請求項１に記載の画像形成装置において、前記入力手段は、前記表示手段と別体として設けられていることを特徴とする。
【０００９】
請求項３に記載の発明は、請求項１又は２に記載の画像形成装置において、前記表示制御手段により前記表示手段に表示される認証データ入力画面に含まれる文字及び／又は数字表示は、縦及び横に整列しており、前記表示制御手段により表示される認証データ入力画面に含まれる番号表示は、当該文字及び／又は数字表示の縦及び横の位置を表していることを特徴とする。
【００１０】
請求項４に記載の発明は、請求項１〜３の何れか一項に記載の画像形成装置において、前記所定の配列で配置された文字及び／又は数字表示を含む認証データ入力画面を前記表示手段に表示させる第２の表示制御手段と、前記第２の表示制御手段により前記表示手段に表示された文字及び／又は数字表示に対応する文字及び／又は数字データを入力する第２の入力手段と、前記第２の入力手段により文字及び／又は数字データを入力することによって認証データを入力するか、或いは前記入力手段により番号データを入力し、前記変換手段により当該入力された番号データを文字及び／又は数字データに変換することによって認証データを入力するか、を選択する選択手段と、を備えることを特徴とする。
【００１１】
請求項５に記載の発明は、請求項４に記載の画像形成装置による認証データ入力画面の表示方法であって、前記表示制御手段が、前記所定の配列で配置された文字及び／又は数字表示と、当該文字及び／又は数字表示と対応付けられて表示された番号表示と、を含む認証データ入力画面を前記表示手段に表示させる第１の表示制御ステップと、前記第２の表示制御手段が、前記所定の配列で配置された文字及び／又は数字表示を含む認証データ入力画面を前記表示手段に表示させる第２の表示制御ステップと、前記選択手段が、前記第２の入力手段により文字及び／又は数字データを入力することによって認証データを入力するか、或いは前記入力手段により番号データを入力し、前記変換手段により当該入力された番号データを文字及び／又は数字データに変換することによって認証データを入力するか、を選択する選択ステップと、を備えることを特徴とする。
【発明の効果】
【００１２】
請求項１に記載の発明によれば、番号データを入力することによって、複数の文字及び／又は数字データにより構成される認証データを入力することができる。したがって、直接、認証データを入力するのではなく、いわゆる暗号によって認証データを入力することができるため、認証データの入力時における認証データの露見を防止することができる。また、表示手段に文字及び／又は数字データと番号データとの対応付けが表示されているため、当該対応付けを覚えておかなくても、認証データに変換される番号データの入力を確実に行うことができる。
【００１３】
請求項２に記載の発明によれば、請求項１に記載の発明と同様の効果が得られることは無論のこと、入力手段が、表示手段と別体であるため、オペレータは、自身の体などで入力手段を隠しながら、認証データを入力することができることとなって、より確実に、認証データの入力時における認証データの露見を防止することができる。また、表示手段の利点を活かしたまま、すなわち、例えば、表示手段の表示サイズが大きい場合には視認性が高いなどの利点を活かしたまま、認証データを入力することができるため、より正確に認証データを入力することができる。
【００１４】
請求項３に記載の発明によれば、請求項１又は２に記載の発明と同様の効果が得られることは無論のこと、文字及び／又は数字表示が、縦及び横に整列しているため、複数ある文字及び／又は数字表示の中から、容易に、所望の文字及び／又は数字表示を探し出すことができる。
【００１５】
請求項４，５に記載の発明によれば、請求項１〜３の何れか一項に記載の発明と同様の効果が得られることは無論のこと、番号データによって認証データを入力するか、或いは文字及び／又は数字データによって認証データを入力するか、を選択することができることとなって、オペレータは、二種類ある認証データ入力方法の中から、使い勝手のよい方を選ぶことができる。
【発明を実施するための最良の形態】
【００１６】
以下、図を参照して、本発明にかかる画像形成装置及び画像形成装置による認証データ入力画面の表示方法の最良の形態を詳細に説明する。なお、発明の範囲は、図示例に限定されない。
本実施の形態では、画像形成装置として複写機１を例示して説明することとする。
【００１７】
＜複写機＞
まず、複写機１の構成について、図１及び図２を参照して説明する。
複写機１は、例えば、図１に示すように、画像読取部２０、操作部３０、複写機本体１００などを備えて構成される。画像読取部２０や操作部３０などは、複写機本体１００の上部に配置されている。
【００１８】
画像読取部２０、操作部３０などは、例えば、図２に示すように、複写機１の本体制御部１０に接続されており、本体制御部１０との間で各種の信号やデータなどを送受することができるようになっている。
【００１９】
画像読取部２０は、例えば、図１に示すように、スキャナ２１、自動原稿送り装置２２などを備えている。
【００２０】
スキャナ２１は、本体制御部１０からの指示に従って、原稿台２１１上にある原稿から原稿画像の原稿画像データを読み取り、当該読み取った原稿画像データを本体制御部１０に出力する。
【００２１】
自動原稿送り装置２２は、スキャナ２１の上部に開閉可能に取り付けられており、本体制御部１０からの指示に従って、原稿を原稿台２１１上に送り込む、原稿送り機構を有している。
【００２２】
操作部３０は、例えば、図１及び図２に示すように、表示画面が略鉛直に配置された表示部３１及びタッチパネル３２や、各種入力キー３３などを備えている。
【００２３】
表示部３１は、例えば、ＣＲＴ（Cathode Ray Tube）ディスプレイやＬＣＤ（Liquid Crystal Display）、ＥＬ（Electro Luminescence）ディスプレイなどであり、本体制御部１０から入力される表示信号に従って所与の表示処理を行う。
具体的には、表示部３１は、例えば、表示手段として、本体制御部１０が、認証データの登録時、或いは認証データの認証時に、複数の文字及び／又は数字データにより構成される認証データを入力するための認証データ入力画面を表示する際などに使用される。
【００２４】
タッチパネル３２は、表示部３１と一体として設けられている。
具体的には、タッチパネル３２は、表示部３１の表示画面の上面を覆うように設置されており、オペレータの指などを用いた押圧操作によって押圧入力された所望の入力位置を検出し、その検出信号を本体制御部１０に出力する。
より具体的には、タッチパネル３２は、例えば、第２の入力手段として、オペレータが、表示部３１に表示された第２の認証データ入力画面（後述）に含まれる文字及び／又は数字表示に対応する文字及び／又は数字データを入力する際に使用される。
また、タッチパネル３２は、例えば、選択手段として、オペレータが、タッチパネル３２により文字及び／又は数字データを入力することによって認証データを入力するか、或いは各種入力キー３３のテンキー３３１（後述）により番号データを入力し、変換プログラム１３２を実行したＣＰＵ１１（後述）により当該入力された番号データを文字及び／又は数字データに変換することによって認証データを入力するか、を選択する際に使用される。
【００２５】
各種入力キー３３は、表示部３１と別体として設けられている。
具体的には、各種入力キー３３は、例えば、図１に示すように、テンキー３３１などを備えており、オペレータのキー操作に伴う押圧信号を本体制御部１０に出力する。
【００２６】
テンキー３３１は、例えば、「０」〜「９」を表す番号キーから構成されている。
具体的には、テンキー３３１は、例えば、入力手段として、オペレータが、表示部３１に表示された第１の認証データ入力画面（後述）に含まれる番号表示に対応する番号データを入力する際に使用される。
【００２７】
複写機本体１００は、内部に、例えば、画像形成出力部４０、用紙トレイ（図示省略）、排紙トレイ（図示省略）などを備えている。
画像形成出力部４０などは、例えば、図２に示すように、複写機１の本体制御部１０に接続されており、本体制御部１０との間で各種の信号やデータなどを送受することができるようになっている。
【００２８】
画像形成出力部４０は、本体制御部１０からの指示に従って、画像データに基づく画像を記録材料に形成して出力する。
【００２９】
複写機１の本体制御部１０は、例えば、図２に示すように、画像読取部２０、操作部３０、画像形成出力部４０、画像処理部５０などと接続されている。
【００３０】
本体制御部１０は、例えば、図２に示すように、ＣＰＵ（Central Processing Unit）１１、ＲＡＭ（Random Access Memory）１２、記憶部１３などを備えて構成される。
【００３１】
ＣＰＵ１１は、記憶部１３に記憶された複写機１用の各種処理プログラムに従って各種の制御動作を行う。
【００３２】
ＲＡＭ１２は、ＣＰＵ１１によって実行される処理プログラムなどを展開するためのプログラム格納領域や、入力データや上記処理プログラムが実行される際に生じる処理結果などを格納するデータ格納領域などを備える。
【００３３】
記憶部１３は、複写機１で実行可能なシステムプログラム、当該システムプログラムで実行可能な各種処理プログラム、これら各種処理プログラムを実行する際に使用されるデータ、ＣＰＵ１１によって演算処理された処理結果のデータなどを記憶する。なお、プログラムは、コンピュータが読み取り可能なプログラムコードの形で記憶部１３に記憶されている。
具体的には、記憶部１３には、例えば、図２に示すように、表示制御プログラム１３１、変換プログラム１３２などが記憶されている。
【００３４】
表示制御プログラム１３１は、ＣＰＵ１１に、所定の配列で配置された文字及び／又は数字表示と、当該文字及び／又は数字表示と対応付けられて表示された番号表示と、を含む第１の認証データ入力画面、或いは所定の配列で配置された文字及び／又は数字表示を含む第２の認証データ入力画面を、表示部３１に表示させる機能を実現させる。
ＣＰＵ１１は、かかる表示制御プログラム１３１を実行することによって、表示制御手段及び第２の表示制御手段として機能する。
【００３５】
具体的には、オペレータのタッチパネル３２の操作によって、テンキー３３１により認証データを入力すると選択された場合には、ＣＰＵ１１は、表示制御プログラム１３１を実行して、表示部３１に、例えば、図３に示すような、第１の認証データ入力画面Ａ１を表示させる。
第１の認証データ入力画面Ａ１には、例えば、ｑｗｅｒｔｙタイプのキーボード配列で、縦及び横に整列して配置された各「文字／数字表示」ｍ１１などが表示されている。また、各「文字／数字表示」ｍ１１と対応付けて表示された各番号表示、具体的には、各「文字／数字表示」ｍ１１の縦（列）の位置を表す各「番号表示」ｍ１２と、各「文字／数字表示」ｍ１１の横（行）の位置を表す各「番号表示」ｍ１３と、が表示されている。また、「テンキーでの文字の入力方法の説明」ｍ１４なども表示されている。
第１の認証データ入力画面Ａ１においては、オペレータは、テンキー３３１を押圧して、各「文字／数字表示」ｍ１１に対応付けられた各「番号表示」ｍ１２及び各「番号表示」ｍ１３に対応する番号データを入力することによって、認証データを入力することができる。
より具体的には、図３に示す第１の認証データ入力画面Ａ１において、例えば、「文字／数字表示」ｍ１１のうちの“ａ”は、「文字表示」ｍ１３が「０３」、「文字表示」ｍ１２が「０１」の位置に配置されている。したがって、オペレータは、「テンキーでの文字の入力方法の説明」ｍ１４を参考にして、テンキー３３１により４桁の番号「０３０１」を入力することによって、文字“ａ”を入力することができる。
【００３６】
一方、オペレータのタッチパネル３２の操作によって、タッチパネル３２により認証データを入力すると選択された場合には、ＣＰＵ１１は、表示制御プログラム１３１を実行して、表示部３１に、例えば、図４に示すような、第２の認証データ入力画面Ａ２を表示させる。
第２の認証データ入力画面Ａ２には、例えば、ｑｗｅｒｔｙタイプのキーボード配列で配置された各「文字／数字」キーｋ２１、「テンキーによる文字入力」キーｋ２２などが表示されている。
第２の認証データ入力画面Ａ２においては、オペレータは、「文字／数字」キーｋ２１を押圧して、「文字／数字」キーｋ２１に対応する文字及び／又は数字データを入力することによって、認証データを入力することができる。
【００３７】
変換プログラム１３２は、ＣＰＵ１１に、テンキー３３１により入力された番号データを、表示制御プログラム１３１を実行したＣＰＵ１１により表示部３１に表示された第１の認証データ入力画面Ａ１（図３）に含まれる文字及び／又は数字表示と番号表示との対応付けに基づいて、文字及び／又は数字データに変換する機能を実現させる。
具体的には、例えば、テンキー３３１により「０３０１」が入力されると、ＣＰＵ１１は、変換プログラム１３２を実行して、第１の認証データ入力画面Ａ１（図３）に表示された文字及び／又は数字表示と番号表示との対応付けに基づいて、文字“ａ”に変換する。
ＣＰＵ１１は、かかる変換プログラム１３２を実行することによって、変換手段として機能する。
【００３８】
画像処理部５０は、本体制御部１０からの指示に従って、画像データなどを作成する。
【００３９】
＜複写機による認証データ入力画面の表示方法＞
次に、複写機１による認証データ入力画面の表示方法について、図５のフローチャートを参照して説明する。
【００４０】
まず、オペレータによる操作部３０のタッチパネル３２の操作などによって、操作部３０の表示部３１に、認証データ入力画面を表示するよう指示されると（ステップＳ１）、ＣＰＵ１１は、表示制御プログラム１３１を実行して、表示部３１に、第２の認証データ入力画面Ａ２（例えば、図４）を表示させる（ステップＳ２）。
【００４１】
次いで、第２の認証データ入力画面Ａ２（図４）の「テンキーによる文字入力」キーｋ２２が押圧されたか否かを判定する（ステップＳ３）。
【００４２】
ステップＳ３で、「テンキーによる文字入力」キーｋ２２が押圧されていないと判断すると（ステップＳ３；Ｎｏ）、すなわち、タッチパネル３２により認証データを入力すると選択されたと判断すると、ＣＰＵ１１は、ステップＳ３の処理を繰り返して行う。すなわち、表示部３１に、第２の認証データ入力画面Ａ２（図４）を表示したままにしておく。
【００４３】
一方、ステップＳ３で、「テンキーによる文字入力」キーｋ２２が押圧されたと判断すると（ステップＳ３；Ｙｅｓ）、すなわち、テンキー３３１により認証データを入力すると選択されたと判断すると、ＣＰＵ１１は、表示制御プログラム１３１を実行して、表示部３１に、第１の認証データ入力画面Ａ１（例えば、図３）を表示させ（ステップＳ４）、本処理を終了する。
【００４４】
以上説明した本発明の複写機１によれば、表示制御プログラム１３１を実行したＣＰＵ１１によって、所定の配列で配置された文字及び／又は数字表示と、当該文字及び／又は数字表示と対応付けられて表示された番号表示と、を含む第１の認証データ入力画面Ａ１（図３）を表示部３１に表示させることができ、オペレータよるテンキー３３１の操作によって、当該表示された第１の認証データ入力画面（図３）に含まれる番号表示に対応する番号データを入力することができ、変換プログラム１３２を実行したＣＰＵ１１によって、当該入力された番号データを、第１の認証データ入力画面Ａ１（図３）に表示された文字及び／又は数字表示と番号表示との対応付けに基づいて、文字及び／又は数字データに変換することができる。
すなわち、番号データを入力することによって、複数の文字及び／又は数字データにより構成される認証データを入力することができる。したがって、直接、認証データを入力するのではなく、いわゆる暗号によって認証データを入力することができるため、認証データの入力時における認証データの露見を防止することができる。特に、複写機１では、表示部３１の表示画面が略鉛直に配置されているため、背後から認証データ入力画面が覗き見られ易いが、いわゆる暗号によって認証データを入力することによって、認証データの露見防止をより効果的に実現できる。また、第１の認証データ入力画面Ａ１（図３）に文字及び／又は数字データと番号データとの対応付けが表示されているため、当該対応付けを覚えておかなくても、認証データに変換される番号データの入力を確実に行うことができる。
【００４５】
また、テンキー３３１が、表示部３１と別体であるため、オペレータは、自身の体などでテンキー３３１を隠しながら、認証データを入力することができることとなって、より確実に、認証データの入力時における認証データの露見を防止することができる。また、表示部３１の利点を活かしたまま、すなわち、例えば、表示部３１の表示サイズが大きい場合には視認性が高いなどの利点を活かしたまま、認証データを入力することができるため、より正確に認証データを入力することができる。
【００４６】
また、第１の認証データ入力画面Ａ１（図３）に含まれる文字及び／又は数字表示は、縦及び横に整列しており、第１の認証データ入力画面Ａ１（図３）に含まれる番号表示は、当該文字及び／又は数字表示の縦及び横の位置を表しているため、複数ある文字及び／又は数字表示の中から、容易に、所望の文字及び／又は数字表示を探し出すことができ、そして、容易に、当該所望の文字及び／又は数字表示に対応付けられた番号表示に対応する番号データを入力することができる。
【００４７】
また、表示制御プログラム１３１を実行したＣＰＵ１１によって、所定の配列で配置された文字及び／又は数字表示を含む第２の認証データ入力画面Ａ２（図４）を表示部３１に表示させることができ、オペレータによるタッチパネル３２の操作によって、当該表示された第２の認証データ入力画面Ａ２（図４）に含まれる文字及び／又は数字表示に対応する文字及び／又は数字データを入力することができる。そして、オペレータによるタッチパネル３２の操作によって、タッチパネル３２により文字及び／又は数字データを入力することによって認証データを入力するか、或いはテンキー３３１により番号データを入力し、変換プログラム１３２を実行したＣＰＵ１１により当該入力された番号データを文字及び／又は数字データに変換することによって認証データを入力するか、を選択することができこととなって、オペレータは、二種類ある認証データ入力方法の中から、使い勝手のよい方を選ぶことができる。
【００４８】
なお、本発明は、上記した実施の形態のものに限るものではなく、その要旨を逸脱しない範囲で適宜変更可能である。
画像形成装置は、複写機１の限りでなく、認証データの登録時、或いは認証データの認証時に、認証データを入力するための認証データ入力画面を表示する表示部３１を備えるのであれば、例えば、プリンタなどであってもよい。
【００４９】
第２の認証データ入力画面Ａ２（図４）における各「文字／数字」キーｋ２１の配列、第１の認証データ入力画面Ａ１（図３）における各「文字／数字表示」ｍ１１の配列は、ｑｗｅｒｔｙタイプのキーボード配列の限りでなく、任意である。
また、第１の認証データ入力画面Ａ１（図３）においては、テンキー３３１により４桁の番号（例えば、「０３０１」）を入力することによって、１つの文字及び／又は数字（例えば、文字“ａ”）を入力するようにしたが、各「文字／数字表示」ｍ１１の配列などを適宜変更して、例えば、より少ない桁の番号（例えば、２桁の番号）を入力することによって、１つの文字及び／又は数字を入力できるようにしてもよい。
【００５０】
表示部３１に、第２の認証データ入力画面Ａ２（図４）を表示した後に、タッチパネル３２により認証データを入力するか、或いはテンキー３３１により認証データを入力するか、を選択させるようにしたが、当該選択のタイミングは任意であり、例えば、予め選択させてから、該当する認証データ入力画面を表示するようにしてもよい。
【図面の簡単な説明】
【００５１】
【図１】本発明の実施の形態である複写機の外観正面図である。
【図２】本発明の実施の形態である複写機の本体制御部の機能的構成を示すブロック図である。
【図３】第１の認証データ入力画面を示す図である。
【図４】第２の認証データ入力画面を示す図である。
【図５】複写機による認証データ入力画面の表示方法を説明するためのフローチャートである。
【符号の説明】
【００５２】
１  複写機（画像形成装置）
３１  表示部（表示手段）
３２  タッチパネル（第２の入力手段、選択手段）
１１  ＣＰＵ（表示制御手段、変換手段、第２の表示制御手段）
１３１  表示制御プログラム（表示制御手段、第２の表示制御手段）
１３２  変換プログラム（変換手段）
３３１  テンキー（入力手段）
【図１】
2007028067.tif 000003
【図２】
2007028067.tif 000004
【図３】
2007028067.tif 000005
【図４】
2007028067.tif 000006
【図５】
2007028067.tif 000007